(57)【要約】【課題】通常の電話機、ＩＰフォン、ファクシミリ機及びモデムをそれぞれ的確に接続相手に接続することを可能とする通信回線接続アダプタを提供する。【解決手段】第１乃至第３のスイッチ第１のスイッチの共通端子を第１のＤＡＡ回路を介してモデム／ファクシミリ機に接続する配線、第１のスイッチの第０接点端子を公衆電話回線及び第２のスイッチの共通端子に接続する配線、第１のスイッチの第１接点端子をＳＬＩＣを介してＶｏＩＰゲートウェイに接続する配線、第１のスイッチの第１接点端子を第３のスイッチの第０接点端子に接続する配線、第２のスイッチの第０接点端子を第２のＤＡＡ回路を介してＶｏＩＰゲートウェイに接続する配線、第２のスイッチの第１接点端子を第３のスイッチの第１接点端子に接続する配線と、第３のスイッチの共通端子を内線回線に接続する配線を備える。【選択図】        図１
2004180124.tif 000002
【特許請求の範囲】
【請求項１】
電話通信のプロトコル変換を行うＶｏＩＰ（Ｖｏｉｃｅ  ｏｖｅｒ  Ｉｎｔｅｒｎｅｔ  Ｐｒｏｔｏｃｏｌ）ゲートウェイと、
一般電話宛にかけられてきた電話を前記一般電話に接続する手段と、
ＩＰ（Ｉｎｔｅｒｎｅｔ  Ｐｒｏｔｏｃｏｌ）電話宛にかけられてきた電話を前記ＶｏＩＰゲートウェイを介して前記一般電話に接続する手段と、
前記一般電話宛にかけられてきた電話を前記ＶｏＩＰゲートウェイを介して前記ＩＰ電話に接続する手段と、
を備えることを特徴とする通信回線接続アダプタ。
【請求項２】
請求項１に記載の通信回線接続アダプタにおいて、
かけられてきた電話を前記ＶｏＩＰゲートウェイ及びモデム／ファクシミリ機に接続する手段と、
発呼側からファクシミリ通信又はモデム通信の開始のための制御信号が来ているか否かを判断する手段と、
前記制御信号が来ていると判断したときに、公衆電話回線から前記ＶｏＩＰゲートウェイを切り離す手段と、
前記制御信号が来ていないと判断したときに、前記公衆電話回線から前記モデム／ファクシミリ機を切り離す手段と、
を備えることを特徴とする通信回線アダプタ。
【請求項３】
請求項１に記載の通信回線接続アダプタにおいて、
モデム通信及びファクシミリ通信を行うモデム／ファクシミリ機と、
前記ＶｏＩＰゲートウェイと前記モデム／ファクシミリ機を接続する手段と、
を更に備えることを特徴とする通信回線アダプタ。
【請求項４】
請求項１に記載の通信回線接続アダプタにおいて、
モデム通信及びファクシミリ通信を行うモデム／ファクシミリ機と、
前記モデム／ファクシミリ機を外線に接続する手段と、
を更に備えることを特徴とする通信回線アダプタ。
【請求項５】
請求項１に記載の通信回線接続アダプタにおいて、
モデム通信及びファクシミリ通信を行うモデム／ファクシミリ機と、
前記モデム／ファクシミリ機を内線回線に接続する手段と、
を更に備えることを特徴とする通信回線アダプタ。
【請求項６】
公衆電話回線、内線回線、ＶｏＩＰ（Ｖｏｉｃｅ  ｏｖｅｒ  Ｉｎｔｅｒｎｅｔ  Ｐｒｏｔｏｃｏｌ）ゲートウェイ及びモデム／ファクシミリ機を接続する通信回線接続アダプタにおいて、
第１のスイッチと、
第２のスイッチと、
第３のスイッチと、
前記第１のスイッチの共通端子を第１のＤＡＡ（Ｄａｔａ  Ａｃｃｅｓｓ  Ａｒｒａｎｇｅｍｅｎｔ）回路を介して前記モデム／ファクシミリ機に接続する配線と、
前記第１のスイッチの第０接点端子を前記公衆電話回線及び前記第２のスイッチの共通端子に接続する配線と、
前記第１のスイッチの第１接点端子をＳＬＩＣ（Ｓｕｂｓｃｒｉｂｅｒ  Ｌｉｎｅ  Ｉｎｔｅｒｆａｃｅ  Ｃｉｒｃｕｉｔ）を介して前記ＶｏＩＰゲートウェイに接続する配線と、
前記第１のスイッチの前記第１接点端子を前記第３のスイッチの第０接点端子に接続する配線と、
前記第２のスイッチの第０接点端子を第２のＤＡＡ回路を介して前記ＶｏＩＰゲートウェイに接続する配線と、
前記第２のスイッチの第１接点端子を前記第３のスイッチの第１接点端子に接続する配線と、
前記第３のスイッチの共通端子を前記内線回線に接続する配線と、
を備えることを特徴とする通信回線接続アダプタ。
【請求項７】
請求項６に記載の通信回線接続アダプタにおいて、
前記公衆電話回線から着呼があったときに、前記第１のスイッチにおいて前記共通端子を前記第０接点端子に接続し、前記第２のスイッチにおいて前記共通端子を前記第０接点端子に接続することにより、前記公衆電話回線を前記ＶｏＩＰゲートウェイ及び前記モデム／ファクシミリ機に接続する手段と、
発呼側からファクシミリ通信又はモデム通信の開始のための制御信号が来ているか否かを判断する手段と、
前記制御信号が来ていると判断したときに、前記第２のスイッチにおいて前記共通端子を前記第１接点端子に接続することにより、前記公衆電話回線から前記ＶｏＩＰゲートウェイを切り離す手段と、
前記制御信号が来ていないと判断したときに、前記第１のスイッチにおいて前記共通端子を前記第１節点端子に接続することにより、前記公衆電話回線から前記モデム／ファクシミリ機を切り離す手段と、
を更に備えることを特徴とする通信回線アダプタ。
【請求項８】
請求項６に記載の通信回線接続アダプタにおいて、
当該通信回線接続アダプタに電源が入っていないときに、前記第２のスイッチにおいて前記共通端子と前記第１接点端子が接続され、前記第３のスイッチにおいて前記共通端子と前記第１接点端子が接続され、前記公衆電話回線と前記内線回線が接続されることを特徴とする通信回線アダプタ。
【請求項９】
請求項６に記載の通信回線接続アダプタにおいて、
前記第３のスイッチにおいて前記共通端子と前記第０接点端子を接続することにより、前記内線回線と前記ＶｏＩＰゲートウェイを接続する手段を更に備えることを特徴とする通信回線アダプタ。
【請求項１０】
請求項９に記載の通信回線接続アダプタにおいて、
前記ＶｏＩＰゲートウェイを更に備え、該ＶｏＩＰゲートウェイはＩＰネットワークに接続され、前記第３のスイッチにおいて前記共通端子と前記第０接点端子を接続することにより、前記内線回線と前記ＩＰネットワークを接続することを特徴とする通信回線アダプタ。
【請求項１１】
請求項６に記載の通信回線接続アダプタを用いた通信回線接続方法において、
前記公衆電話回線から着呼があったときに、前記第１のスイッチにおいて前記共通端子を前記第０接点端子に接続し、前記第２のスイッチにおいて前記共通端子を前記第０接点端子に接続することにより、前記公衆電話回線を前記ＶｏＩＰゲートウェイ及び前記モデム／ファクシミリ機に接続するステップと、
発呼側からファクシミリ通信又はモデム通信の開始のための制御信号が来ているか否かを判断するステップと、
前記制御信号が来ていると判断したときに、前記第２のスイッチにおいて前記共通端子を前記第１接点端子に接続することにより、前記公衆電話回線から前記ＶｏＩＰゲートウェイを切り離すステップと、
前記制御信号が来ていないと判断したときに、前記第１のスイッチにおいて前記共通端子を前記第１節点端子に接続することにより、前記公衆電話回線から前記モデム／ファクシミリ機を切り離すステップと、
を有することを特徴とする通信回線接続方法。
【請求項１２】
公衆電話回線、ＶｏＩＰ（Ｖｏｉｃｅ  ｏｖｅｒ  Ｉｎｔｅｒｎｅｔ  Ｐｒｏｔｏｃｏｌ）ゲートウェイ及びモデム／ファクシミリ機を接続する通信回線接続アダプタにおいて、
第１のスイッチと、
第２のスイッチと、
前記第１のスイッチの共通端子を第１のＤＡＡ（Ｄａｔａ  Ａｃｃｅｓｓ  Ａｒｒａｎｇｅｍｅｎｔ）回路を介して前記モデム／ファクシミリ機に接続する配線と、
前記第１のスイッチの第０接点端子を前記公衆電話回線及び前記第２のスイッチの共通端子に接続する配線と、
前記第１のスイッチの第１接点端子をＳＬＩＣ（Ｓｕｂｓｃｒｉｂｅｒ  Ｌｉｎｅ  Ｉｎｔｅｒｆａｃｅ  Ｃｉｒｃｕｉｔ）を介して前記ＶｏＩＰゲートウェイに接続する配線と、
前記第２のスイッチの第０接点端子を第２のＤＡＡ回路を介して前記ＶｏＩＰゲートウェイに接続する配線と
を備えることを特徴とする通信回線接続アダプタ。
【請求項１３】
請求項１２に記載の通信回線接続アダプタにおいて、
前記公衆電話回線から着呼があったときに、前記第１のスイッチにおいて前記共通端子を前記第０接点端子に接続し、前記第２のスイッチにおいて前記共通端子を前記第０接点端子に接続することにより、前記公衆電話回線を前記ＶｏＩＰゲートウェイ及び前記モデム／ファクシミリ機に接続する手段と、
発呼側からファクシミリ通信又はモデム通信の開始のための制御信号が来ているか否かを判断する手段と、
前記制御信号が来ていると判断したときに、前記第２のスイッチにおいて前記共通端子を前記第０接点端子から切り離すことにより、前記公衆電話回線から前記ＶｏＩＰゲートウェイを切り離す手段と、
前記制御信号が来ていないと判断したときに、前記第１のスイッチにおいて前記共通端子を前記第１節点端子に接続することにより、前記公衆電話回線から前記モデム／ファクシミリ機を切り離す手段と、
を更に備えることを特徴とする通信回線アダプタ。
【請求項１４】
請求項１２に記載の通信回線接続アダプタを用いた通信回線接続方法において、
前記公衆電話回線から着呼があったときに、前記第１のスイッチにおいて前記共通端子を前記第０接点端子に接続し、前記第２のスイッチにおいて前記共通端子を前記第０接点端子に接続することにより、前記公衆電話回線を前記ＶｏＩＰゲートウェイ及び前記モデム／ファクシミリ機に接続するステップと、
発呼側からファクシミリ通信又はモデム通信の開始のための制御信号が来ているか否かを判断するステップと、
前記制御信号が来ていると判断したときに、前記第２のスイッチにおいて前記共通端子を前記第０接点端子から切り離すことにより、前記公衆電話回線から前記ＶｏＩＰゲートウェイを切り離すステップと、
前記制御信号が来ていないと判断したときに、前記第１のスイッチにおいて前記共通端子を前記第１節点端子に接続することにより、前記公衆電話回線から前記モデム／ファクシミリ機を切り離すステップと、
を有することを特徴とする通信回線接続方法。
【請求項１５】
公衆電話回線、ＶｏＩＰ（Ｖｏｉｃｅ  ｏｖｅｒ  Ｉｎｔｅｒｎｅｔ  Ｐｒｏｔｏｃｏｌ）ゲートウェイ及びモデム／ファクシミリ機を接続する通信回線接続アダプタにおいて、
前記公衆電話回線から着呼があったときに、前記公衆電話回線を前記ＶｏＩＰゲートウェイ及び前記モデム／ファクシミリ機に接続する手段と、
発呼側からファクシミリ通信又はモデム通信の開始のための制御信号が来ているか否かを判断する手段と、
前記制御信号が来ていると判断したときに、前記公衆電話回線から前記ＶｏＩＰゲートウェイを切り離す手段と、
前記制御信号が来ていないと判断したときに、前記公衆電話回線から前記モデム／ファクシミリ機を切り離す手段と、
を備えることを特徴とする通信回線アダプタ。
【請求項１６】
公衆電話回線、ＶｏＩＰ（Ｖｏｉｃｅ  ｏｖｅｒ  Ｉｎｔｅｒｎｅｔ  Ｐｒｏｔｏｃｏｌ）ゲートウェイ及びモデム／ファクシミリ機を接続する通信回線接続方法において、
前記公衆電話回線から着呼があったときに、前記公衆電話回線を前記ＶｏＩＰゲートウェイ及び前記モデム／ファクシミリ機に接続するステップと、
発呼側からファクシミリ通信又はモデム通信の開始のための制御信号が来ているか否かを判断するステップと、
前記制御信号が来ていると判断したときに、前記公衆電話回線から前記ＶｏＩＰゲートウェイを切り離すステップと、
前記制御信号が来ていないと判断したときに、前記公衆電話回線から前記モデム／ファクシミリ機を切り離すステップと、
を有することを特徴とする通信回線方法。
【発明の詳細な説明】
【０００１】
【発明の属する技術分野】
本発明は、公衆電話回線、内線回線、ＶｏＩＰ（Ｖｏｉｃｅ  ｏｖｅｒ  Ｉｎｔｅｒｎｅｔ  Ｐｒｏｔｏｃｏｌ）ゲートウェイ及びモデム／ファクシミリ機を接続する通信回線接続アダプタに関する。
【０００２】
【従来の技術】
近年、インターネット技術の進歩を背景として、インターネットを利用した電話通信（いわゆるＩＰ電話）が普及しようとしている。インターネットを利用した電話通信では、例えば、Ｈ．３２３又はＳＩＰ（Ｓｅｓｓｉｏｎ  Ｉｎｉｔｉａｔｉｏｎ  Ｐｒｏｔｏｃｏｌ）等のプロトコルが用いられる。
【０００３】
インターネットを利用した電話通信の形態としては、例えば、以下のようなものがある。
【０００４】
公衆電話回線に接続された構内交換機をＶｏＩＰゲートウェイに接続し、そのＶｏＩＰゲートウェイを構内ＩＰネットワーク（ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等）に接続し、その構内ＩＰネットワークに他のＶｏＩＰゲートウェイを接続する。そして各ＶｏＩＰゲートウェイに通常の電話機を接続する。このような接続をすることにより、例えば会社の内線をＩＰネットワークで構築することが可能となり、内線を電話網で構築する必要が無くなる。ただし、内線を外線と接続するためには公衆電話回線を用いなくてはならない。これは、構内におけるインターネットを利用した電話通信である。
【０００５】
インターネット（グローバルＩＰネットワーク）に接続された各ルータにＶｏＩＰゲートウェイを接続し、各ＶｏＩＰゲートウェイに直接又は内線回線を介して通常の電話機を接続する。このような接続をすることにより、外線通話をするために公衆電話回線を用いる必要が無くなり、従って、電話料金を節約することが可能となる。これは、構外におけるインターネットを利用した電話通信である。
【０００６】
ＶｏＩＰゲートウェイとは、主に、一方の方向の通信においては、アナログの音声信号をデジタルの音声データに変換し、デジタル化された音声データを分割し、ＲＴＰ（Ｒｅａｌ−Ｔｉｍｅ  Ｔｒａｎｓｐｏｒｔ  Ｐｒｏｔｏｃｏｌ）パケット、ＵＤＰ（Ｕｓｅｒ  Ｄａｔａｇｒａｍ  Ｐｒｏｔｏｃｏｌ）パケット、ＩＰ（Ｉｎｔｅｒｎｅｔ  Ｐｒｏｔｏｃｏｌ）パケットにより３重にカプセル化すると共に、他の方向の通信においては、ＩＰパケットからデジタル化されている音声データを抽出し、抽出された音声データをアナログの音声信号に変換するものである。
【０００７】
なお、この出願の発明に関連する先行技術文献情報としては次のものがある。
【０００８】
【特許文献１】
特開平３−１３５１４８号公報
【特許文献２】
特開平５−１４５８３号公報
【特許文献３】
特開平５−６８１１８号公報
【特許文献４】
特開２０００−３５４０７１公報
【特許文献５】
特開２００１−１８６１９３公報
【特許文献６】
特開２００１−２９８５４２公報
【０００９】
特許文献１に記載の発明は、各ライン回路に多機能電話端末機及びデータ端末機を接続し、多機能電話端末機同士が通話している時に、多機能電話端末機の所定のボタンを押すことにより、再度ダイアルすることなくデータ端末機同士のデータ通信をできるようにしたものである。この発明では、同一の回線を用いて通話及びデータ通信を行う。
【００１０】
特許文献２に記載の発明は、回線を閉結したら、その直後に案内音声メッセージを送出すると共に選択回路をモデム側に切り替え、被呼端末識別信号ＣＥＤ及びデジタル識別信号ＤＩＳの送出並びにデジタル命令信号ＤＣＳの検出を繰り返し、その繰り返しの最中にデジタル命令信号ＤＣＳを検出したならばファクシミリ受信を開始し、その繰り返しの最中にオフフックが検出されたならば選択回路を電話機側に切り替えて通話を開始するものである。この発明によれば、案内音声メッセージを流すことにより、処理の切替えをするまで相手を待たせるので、相手からみて操作性が良くない。また、処理切替えの監視期間中であっても、電話であればすぐに通話を開始できるが、相手側がファクシミリである場合には、電話を一度オフフックしたならば、オンフックに戻さないと、ファクシミリ通信を開始又は継続することができない。
【００１１】
特許文献３に記載の発明は、回線を閉結してから所定時間が経過するまで、擬似リングバックトーンを鳴らしながら相手局側からのコーリングトーンＣＮＧ又は自局側でのオフフックがあるか否かを待ち、その所定時間の間に先にコーリングトーンＣＮＧが検出されれば、ファクシミリ受信のための所定の被呼端末識別信号ＣＥＤ、デジタル識別信号ＤＩＳ、デジタル命令信号ＤＣＳに関するシーケンスに入り、その所定時間の間に先にオフフックが検出されれば、通話を開始し、その所定時間の間にコーリングトーンＣＮＧもオフフックも検出されなければ、ファクシミリ受信のための所定の被呼端末識別信号ＣＥＤ、デジタル識別信号ＤＩＳ、デジタル命令信号ＤＣＳに関するシーケンスに入るものである。
【００１２】
特許文献４に記載の発明は、通常は、構外におけるインターネットを利用した電話通信を行い、この電話通信の品質が悪化したときに、通信を公衆電話回線を利用したものに切り替えるものである。
【００１３】
特許文献５に記載の発明は、上述した構外におけるインターネットを利用した電話通信で用いるＶｏＩＰゲートウェイに関するものである。
【００１４】
特許文献６に記載の発明は、着信した外線を既設の内線電話網及び同時仕様のネットワークに転送することを可能とし、また、障害発生時においても着信した外線電話に応答することを可能とするものである。
【００１５】
【発明が解決しようとする課題】
構内におけるインターネットを利用した電話通信では、公衆電話網をＶｏＩＰゲートウェイに接続するが、公衆電話網にはファクシミリ機やモデムも接続する場合もある。公衆電話網にＶｏＩＰゲートウェイ、ファクシミリ機及びモデムが接続された場合に、どのように接続制御をするかという問題を解決する技術が従来なかった。
【００１６】
また、現在では、通常の電話機とＩＰフォンが併存しているため、自構内側で通常の電話機及びＩＰフォンのうちの何れかを用い、通話相手側で通常の電話機及びＩＰフォンのうちの何れかを用いるため、４種類の接続関係が生ずるが、これらの全ての接続関係に対応した機器というものが従来なかった。
【００１７】
また、ＩＰフォンを所有している場合に、ＩＰフォンにかかってきた電話のみならず、通常の電話にかかってきた電話もＩＰフォンで受けたいという要望が増えることが見込まれる。
【００１８】
従って、本発明は、公衆電話網にＶｏＩＰゲートウェイ及びモデム／ファクシミリ機を接続したときに、適切にオフフック及びオンフックの制御をすることを可能とする通信回線接続アダプタを提供することを目的とする。
【００１９】
また、本発明は、通常の電話機、ＩＰフォン、ファクシミリ機及びモデムをそれぞれ的確に接続相手に接続することを可能とする通信回線接続アダプタを提供することを目的とする。
【００２０】
また、本発明は、ＩＰフォンにかかってきた電話のみならず、通常の電話にかかってきた電話もＩＰフォンで受けることを可能とする通信回線アダプタを提供することを目的とする。
【００２１】
【課題を解決するための手段】
本発明の第１の観点によれば、電話通信のプロトコル変換を行うＶｏＩＰ（Ｖｏｉｃｅ  ｏｖｅｒ  Ｉｎｔｅｒｎｅｔ  Ｐｒｏｔｏｃｏｌ）ゲートウェイと、一般電話宛にかけられてきた電話を前記一般電話に接続する手段と、ＩＰ（Ｉｎｔｅｒｎｅｔ  Ｐｒｏｔｏｃｏｌ）宛にかけられてきた電話を前記ＶｏＩＰゲートウェイを介して前記一般電話に接続する手段と、前記一般電話宛にかけられてきた電話を前記ＶｏＩＰゲートウェイを介して前記ＩＰ電話に接続する手段と、を備えることを特徴とする通信回線接続アダプタが提供される。
【００２２】
本発明の第１の観点による通信回線接続アダプタは、かけられてきた電話を前記ＶｏＩＰゲートウェイ及びモデム／ファクシミリ機に接続する手段と、発呼側からファクシミリ通信又はモデム通信の開始のための制御信号が来ているか否かを判断する手段と、前記制御信号が来ていると判断したときに、公衆電話回線から前記ＶｏＩＰゲートウェイを切り離す手段と、前記制御信号が来ていないと判断したときに、前記公衆電話回線から前記モデム／ファクシミリ機を切り離す手段と、を備えていてもよい。
【００２３】
本発明の第１の観点による通信回線接続アダプタは、モデム通信及びファクシミリ通信を行うモデム／ファクシミリ機と、前記ＶｏＩＰゲートウェイと前記モデム／ファクシミリ機を接続する手段と、を更に備えていてもよい。
【００２４】
本発明の第１の観点による通信回線接続アダプタは、モデム通信及びファクシミリ通信を行うモデム／ファクシミリ機と、前記モデム／ファクシミリ機を外線に接続する手段と、を更に備えていてもよい。
【００２５】
本発明の第１の観点による通信回線接続アダプタは、モデム通信及びファクシミリ通信を行うモデム／ファクシミリ機と、前記モデム／ファクシミリ機を内線回線に接続する手段と、を更に備えていてもよい。
【００２６】
本発明の第２の観点によれば、公衆電話回線、内線回線、ＶｏＩＰ（Ｖｏｉｃｅ  ｏｖｅｒ  Ｉｎｔｅｒｎｅｔ  Ｐｒｏｔｏｃｏｌ）ゲートウェイ及びモデム／ファクシミリ機を接続する通信回線接続アダプタにおいて、第１のスイッチと、第２のスイッチと、第３のスイッチと、前記第１のスイッチの共通端子を第１のＤＡＡ（Ｄａｔａ  Ａｃｃｅｓｓ  Ａｒｒａｎｇｅｍｅｎｔ）回路を介して前記モデム／ファクシミリ機に接続する配線と、前記第１のスイッチの第０接点端子を前記公衆電話回線及び前記第２のスイッチの共通端子に接続する配線と、前記第１のスイッチの第１接点端子をＳＬＩＣ（Ｓｕｂｓｃｒｉｂｅｒ  Ｌｉｎｅ  Ｉｎｔｅｒｆａｃｅ  Ｃｉｒｃｕｉｔ）を介して前記ＶｏＩＰゲートウェイに接続する配線と、前記第１のスイッチの前記第１接点端子を前記第３のスイッチの第０接点端子に接続する配線と、前記第２のスイッチの第０接点端子を第２のＤＡＡ回路を介して前記ＶｏＩＰゲートウェイに接続する配線と前記第２のスイッチの第１接点端子を前記第３のスイッチの第１接点端子に接続する配線と、前記第３のスイッチの共通端子を前記内線回線に接続する配線と、を備えることを特徴とする通信回線接続アダプタが提供される。
【００２７】
本発明の第２の観点による通信回線接続アダプタは、前記公衆電話回線から着呼があったときに、前記第１のスイッチにおいて前記共通端子を前記第０接点端子に接続し、前記第２のスイッチにおいて前記共通端子を前記第０接点端子に接続することにより、前記公衆電話回線を前記ＶｏＩＰゲートウェイ及び前記モデム／ファクシミリ機に接続する手段と、発呼側からファクシミリ通信又はモデム通信の開始のための制御信号が来ているか否かを判断する手段と、前記制御信号が来ていると判断したときに、前記第２のスイッチにおいて前記共通端子を前記第１接点端子に接続することにより、前記公衆電話回線から前記ＶｏＩＰゲートウェイを切り離す手段と、前記制御信号が来ていないと判断したときに、前記第１のスイッチにおいて前記共通端子を前記第１節点端子に接続することにより、前記公衆電話回線から前記モデム／ファクシミリ機を切り離す手段と、を更に備えていてもよい。
【００２８】
本発明の第２の観点による通信回線接続アダプタにおいて、当該通信回線接続アダプタに電源が入っていないときに、前記第２のスイッチにおいて前記共通端子と前記第１接点端子が接続され、前記第３のスイッチにおいて前記共通端子と前記第１接点端子が接続され、前記公衆電話回線と前記内線回線が接続されていてもよい。
【００２９】
本発明の第２の観点による通信回線接続アダプタは、前記第３のスイッチにおいて前記共通端子と前記第０接点端子を接続することにより、前記内線回線と前記ＶｏＩＰゲートウェイを接続する手段を更に備えていてもよい。
【００３０】
本発明の第２の観点による通信回線接続アダプタに、前記ＶｏＩＰゲートウェイを更に備えさせ、該ＶｏＩＰゲートウェイがＩＰネットワークに接続され、前記第３のスイッチにおいて前記共通端子と前記第０接点端子を接続することにより、前記内線回線と前記ＩＰネットワークを接続するようにしてもよい。
【００３１】
本発明の第３の観点によれば、上記の通信回線接続アダプタを用いた通信回線接続方法において、前記公衆電話回線から着呼があったときに、前記第１のスイッチにおいて前記共通端子を前記第０接点端子に接続し、前記第２のスイッチにおいて前記共通端子を前記第０接点端子に接続することにより、前記公衆電話回線を前記ＶｏＩＰゲートウェイ及び前記モデム／ファクシミリ機に接続するステップと、発呼側からファクシミリ通信又はモデム通信の開始のための制御信号が来ているか否かを判断するステップと、前記制御信号が来ていると判断したときに、前記第２のスイッチにおいて前記共通端子を前記第１接点端子に接続することにより、前記公衆電話回線から前記ＶｏＩＰゲートウェイを切り離すステップと、前記制御信号が来ていないと判断したときに、前記第１のスイッチにおいて前記共通端子を前記第１節点端子に接続することにより、前記公衆電話回線から前記モデム／ファクシミリ機を切り離すステップと、を有することを特徴とする通信回線接続方法が提供される。
【００３２】
【発明の実施の形態】
以下、図面を参照して本発明の実施形態について詳細に説明する。
【００３３】
図１は、本発明の実施形態による通信回線接続アダプタを含む通信システムを示す。
【００３４】
図１において、１０１はスプリッタ、１０３はｘＤＳＬ（ｘ  Ｄｉｇｉｔａｌ  Ｓｕｂｓｃｒｉｂｅｒ  Ｌｉｎｅ；ｘ＝ａｓｙｍｍｅｔｒｉｃ，  ｓｙｍｍｅｔｒｉｃ，  ｈｉｇｈ−ｂｉｔ−ｒａｔｅ，  ｖｅｒｙ−ｈｉｇｈ−ｂｉｔ−ｒａｔｅ）モデム、１０５はルータ、１０７はハブ、１０９はコンピュータ本体、１１１はスイッチ群、１１３はＶｏＩＰゲートウェイ、１１５はモデム／ファクシミリ機、１１７はスイッチ制御部、１２１、１２３はＲＪ（Ｒｅｇｉｓｔｅｒｅｄ  Ｊａｃｋ）１１端子、１２５、１２７はＲＪ４５端子、１３１はＳＬＩＣ（Ｓｕｂｓｃｒｉｂｅｒ  Ｌｉｎｅ  ＩｎｔｅｒｆａｃｅＣｉｒｃｕｉｔ）、１３３、１３５はＤＡＡ（Ｄａｔａ  Ａｃｃｅｓｓ  Ａｒｒａｎｇｅｍｅｎｔ）回路、１４１は公衆電話回線、１４３はＩＰネットワーク、１４５は内線回線、１４７はＩＰフォン、１４９は一般電話を示す。
【００３５】
スイッチ群１１１、ＶｏＩＰゲートウェイ１１３、モデム／ファクシミリ機１１５、ＳＬＩＣ１３１、ＤＡＡ回路１３３、ＲＪ１１（符号１２１及び１２３）、ＲＪ４５（符号１２５）及びこれらを実装するプリント回路基板が通信回路接続アダプタ１１９を構成する。通信回路接続アダプタ１１９は、コンピュータ本体１０９にＰＣＩ（Ｐｅｒｉｐｈｅｒａｌ  Ｃｏｍｐｏｎｅｎｔ  Ｉｎｔｅｒｃｏｎｎｅｃｔ）バス等により接続される。従って、モデム／ファクシミリ機１１５は、モデム／ファクシミリ信号処理部を搭載しており、オンボードのものであるが、独立型のものであってもよい。ＩＰネットワーク１４３は、ＬＡＮ又はＷＡＮである。ＩＰフォン１４７は、ＩＰネットワーク１４３に接続されているが、コンピュータ１０９上のソフトウェア並びにコンピュータ１０９に接続されたマイク及びヘッドフォンにより構成されていてもよい。一般電話機１４９は、ＲＪ１１（符号１２３）に直接接続されていてもよい。コンピュータ本体１０９は、インターネットにおけるクライアントとして動作する場合には、ＷＷＷブラウザ、メーラ、ＦＴＰクライアント等１４１を搭載する。また、コンピュータ本体１０９は、インターネットにおけるサーバとして動作する場合には、ＷＷＷサーバ、メールサーバ、ＦＴＰサーバ等１４３を搭載する。また、コンピュータ本体１０９は、ホームサーバとしての機能を有していてもよい。
【００３６】
コンピュータ本体１０９は、ＣＰＵ１０９−１、メモリ１０９−２を備え、ＣＰＵ１０９−１がメモリ１０９−２に格納されているプログラムを読み込んで実行することにより、ＷＷＷブラウザ等１４１又はＷＷＷサーバ等１４３の機能を実現する。なお、コンピュータ本体１０９は、図示しないが、補助記憶装置、入出力装置及び各バス（ＰＣＩバス等）とホストバスとの間のブリッジ等も備える。
【００３７】
ＶｏＩＰゲートウェイ１１３は、アナログ／デジタル変換器（ＡＤＣ）１１３−１、デジタル／アナログ変換器（ＤＡＣ）１１３−２、ＤＳＰ（Ｄｉｇｉｔａｌ  Ｓｉｇｎａｌ  Ｐｒｏｃｅｓｓｏｒ）１１３−３、ＣＰＵ（Ｃｅｎｔｒａｌ  Ｐｒｏｃｅｓｓｉｎｇ  Ｕｎｉｔ）１１３−４及びメモリ１１３−５を備え、これらが協働することにより、上述した処理を行う。また、ＶｏＩＰゲートウェイ１１３は、メモリ１１３−５に一般電話回線直通番号とＩＰフォンのＩＰアドレスとの対応関係を保持し、かけられてきた一般電話の宛先電話番号に対応したＩＰフォンに呼をかけるようにしてもよい。また、一般電話回線直通番号が用いられずに、一般電話回線代表番号のみが用いられている場合には、宛先電話番号を一般電話回線代表番号として電話がかけられてきたならば、全てのＩＰフォンに呼をかけるようにしてもよい。そして、オフフックしたＩＰフォンを相手方と接続するようにしてもよい。
【００３８】
モデム／ファクシミリ機１１５は、ハードウェアのみで構成されていてもよいが、一部がソフトウェアにより構成されていてもよい。ソフトウェア部は、例えば、ＣＰＵ１０９−１がメモリ１０９−２に格納されているプログラムを読み込んで実行することにより実現される。
【００３９】
スイッチ制御部１１７は、ＣＰＵ１１７−１及びメモリ１１７−２を備え、ＣＰＵ１１７−１がメモリ１１７−２に格納されているプログラムを読み込んで実行することにより、後述するスイッチＳＷ１、ＳＷ２及びＳＷ３の制御を行う。なお、スイッチ制御部１１７は、ＣＰＵ１１７−１を備えずに、ＣＰＵ１１３−４又はＣＰＵ１０９−１をタイムシェアリングにより借用するようにしてもよい。
【００４０】
スイッチ群１１１は、３つのスイッチ（ＳＷ１、ＳＷ２及びＳＷ３）を備える。スイッチＳＷ１の共通端子は、配線により、ＤＡＡ回路１３５を介してモデム／ファクシミリ機１１５に接続される。スイッチＳＷ１の第０接点端子は、配線により、スイッチＳＷ２の共通端子に接続され、更に、ＲＪ１１（符号１２１）を介してスプリッタ１０１に接続される。スイッチＳＷ１の第１接点端子は、配線により、スイッチＳＷ３の第０接点端子に接続され、ＳＬＩＣ１３１を介してＶｏＩＰゲートウェイ１１３に接続される。スイッチＳＷ２の第０接点端子は、配線により、ＤＡＡ回路１３３を介してＶｏＩＰゲートウェイ１１３に接続される。スイッチＳＷ２の第１接点端子は、配線により、スイッチＳＷ３の第１接点端子に接続される。スイッチＳＷ３の共通端子はＲＪ１１（符号１２３）を介して内線回線１４５に接続される。
【００４１】
次に、スイッチＳＷ１、ＳＷ２及びＳＷ３の位置と各部の接続の対応関係を説明する。
【００４２】
図２に示すように、スイッチＳＷ１において共通端子が第１接点端子に接続され、スイッチＳＷ２において共通端子が第１接点端子に接続され、スイッチＳＷ３において共通端子が第１接点端子に接続されているときには、ＲＪ１１（符号１２１）とＲＪ１１（符号１２３）が接続される。従って、一般電話機１４９が公衆電話回線１４１と接続されている他の一般電話と通話を行うことが可能である。コンピュータ本体１０９に電源が投入されておらず、従って、通信回路接続アダプタ１１９にも電源が投入されていないときに、このような接続が実現するようにしてもよい。通信回線接続アダプタ１１９の電源が入っていて、利用者の意図で一般電話機１４９が公衆電話回線に接続されている他の一般電話と通話を行うときにも、このような接続が実現するようにしてもよい。現在、ＩＰフォンでは１１０番、１１９番等の緊急電話をかけることができないので、このような接続形態は有用である。
【００４３】
図３に示すように、スイッチＳＷ１において共通端子が第０接点端子に接続され、スイッチＳＷ２において共通端子が第０接点端子に接続され、スイッチＳＷ３において共通端子が第０接点端子に接続されているときには、ＲＪ１１（符号１２１）がＤＡＡ回路１３３及びＤＡＡ回路１３５に接続される。従って、ＶｏＩＰゲートウェイ１１３及びモデム／ファクシミリ機１１５が公衆電話回線１４１に接続される。後述するように、公衆電話網１４１から着呼があったときに、最初にこの接続が実現される。
【００４４】
図４に示すように、スイッチＳＷ１において共通端子が第０接点端子に接続され、スイッチＳＷ２において共通端子が第１接点端子に接続され、スイッチＳＷ３において共通端子が第０接点端子に接続されているときには、ＲＪ１１（符号１２１）がＤＡＡ回路１３５に接続される。従って、モデム／ファクシミリ機１１５が公衆電話回線１４１に接続される。一方、ＶｏＩＰゲートウェイ１１３は公衆電話回線１４１から切り離される。後述するように、公衆電話網１４１からあった着呼が公衆電話回線１４１に接続されたモデム又はファクシミリ機からの発呼によるものであると判断されたときに、この接続関係が実現される。
【００４５】
図５に示すように、スイッチＳＷ１において共通端子が第１接点端子に接続され、スイッチＳＷ２において共通端子が第０接点端子に接続され、スイッチＳＷ３において共通端子が第０接点端子に接続されているときには、ＲＪ１１（符号１２１）がＤＡＡ回路１３３に接続される。従って、ＶｏＩＰゲートウェイ１１３が公衆電話回線１４１に接続される。一方、モデム／ファクシミリ機１１５は公衆電話回線１４１から切り離される。後述するように、公衆電話網１４１からあった着呼が公衆電話回線１４１に接続されたモデムからの発呼によるものでもなくファクシミリ機からの発呼によるものでもないと判断されたときに、この接続関係が実現される。
【００４６】
図６に示すように、図３と同様に、スイッチＳＷ１において共通端子が第０接点端子に接続され、スイッチＳＷ２において共通端子が第０接点端子に接続され、スイッチＳＷ３において共通端子が第０接点端子に接続されているときには、ＳＬＩＣ１３１がＲＪ１１（符号１２３）に接続される。従って、スプリッタ１０１から交換局まで公衆電話回線１４１を介し、その先はインターネットを介して存在する相手側のＩＰフォンが、スプリッタ１０１、ｘＤＳＬモデム１０３、ルータ１０５、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。また、ＩＰフォン１４７が、ＩＰネットワーク１４３、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。
【００４７】
図７に示すように、図４と同様に、スイッチＳＷ１において共通端子が第０接点端子に接続され、スイッチＳＷ２において共通端子が第１接点端子に接続され、スイッチＳＷ３において共通端子が第０接点端子に接続されているときには、図６と同様に、ＳＬＩＣ１３１がＲＪ１１（符号１２３）に接続される。従って、スプリッタ１０１から交換局まで公衆電話回線１４１を介し、その先はインターネットを介して存在する相手側のＩＰフォンが、スプリッタ１０１、ｘＤＳＬモデム１０３、ルータ１０５、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。また、ＩＰフォン１４７が、ＩＰネットワーク１４３、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。
【００４８】
図８に示すように、図５と同様に、スイッチＳＷ１において共通端子が第１接点端子に接続され、スイッチＳＷ２において共通端子が第０接点端子に接続され、スイッチＳＷ３において共通端子が第０接点端子に接続されているときには、図６及び図７と同様に、ＳＬＩＣ１３１がＲＪ１１（符号１２３）に接続される。従って、スプリッタ１０１から交換局まで公衆電話回線１４１を介し、その先はインターネットを介して存在する相手側のＩＰフォンが、スプリッタ１０１、ｘＤＳＬモデム１０３、ルータ１０５、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。また、ＩＰフォン１４７が、ＩＰネットワーク１４３、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。
【００４９】
従って、図６、７及び８から明らかなように、スイッチＳＷ１及びＳＷ２の接続位置に関係なく、スイッチＳＷ３の共通端子が第０接点端子に接続されていれば、ＳＬＩＣ１３１がＲＪ１１（符号１２３）に接続される。従って、スプリッタ１０１から交換局まで公衆電話回線１４１を介し、その先はインターネットを介して存在する相手側のＩＰフォンが、スプリッタ１０１、ｘＤＳＬモデム１０３、ルータ１０５、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。このとき、一般電話機１４９を用いて、構外におけるインターネットを利用した電話通信を行うことができる。インターネットを用いるために通話料金が安く、一般電話機を用いることもできるため普及しようとしているいわゆるＩＰ電話はこの形態のものである。また、ＩＰフォン１４７が、ＩＰネットワーク１４３、ハブ１０７、ＲＪ４５（符号１２５）、ＶｏＩＰゲートウェイ１１３、ＳＬＩＣ１３１、ＲＪ１１（符号１２３）及び内線回線１４５を介して一般電話機１４９に接続される。
【００５０】
なお、スイッチＳＷ１、ＳＷ２及びＳＷ３の位置に関係なく、スプリッタ１０１から交換局まで公衆電話回線１４１を介し、その先はインターネットを介して存在する相手側のＩＰフォンは、スプリッタ１０１、ｘＤＳＬモデム１０３、ルータ１０５、ハブ１０７及びＩＰネットワーク１４３を介してＩＰフォン１４７と通話することが可能である。
【００５１】
また、公衆電話回線に接続されている一般電話からＩＰフォン１４７にかけられてきた電話は、スプリッタ１０１、ｘＤＳＬモデム１０３、ルータ１０５、ハブ１０７及びＩＰネットワーク１４３を介して、ＩＰフォン１４７に到達する。
【００５２】
図９に示すように、スイッチＳＷ１において共通端子が第１接点端子に接続され、スイッチＳＷ２において共通端子が第０接点端子に接続され、スイッチＳＷ３において共通端子が第１接点端子に接続されているときには、ＲＪ１１（符号１２１）がＤＡＡ回路１３３に接続される。従って、ＶｏＩＰゲートウェイ１１３が公衆電話回線１４１に接続される。一方、モデム／ファクシミリ機１１５は公衆電話回線１４１から切り離される。
【００５３】
また、図１０に示すように、スイッチＳＷ１において共通端子が第１接点端子に接続され、スイッチＳＷ２において共通端子が第０接点端子に接続され、スイッチＳＷ３において共通端子が第１接点端子に接続されているときには、ＳＬＩＣ１３１がＤＡＡ回路１３５に接続される。従って、ＶｏＩＰゲートウェイ１１３がモデム／ファクシミリ機１１５に接続される。この場合、モデム／ファクシミリ機１１５が音声メッセージ生成機能があれば、その音声メッセージをＶｏＩＰゲートウェイを経由してＩＰフォン１４７に転送することが可能となる。
【００５４】
図１１に示すように、スイッチＳＷ１において共通端子が第０接点端子に接続され、スイッチＳＷ２において共通端子が第０接点端子に接続され、スイッチＳＷ３において共通端子が第１接点端子に接続されているときには、ＲＪ１１（符号１２１）がＤＡＡ回路１３３及びＤＡＡ回路１３５に接続される。従って、ＶｏＩＰゲートウェイ１１３及びモデム／ファクシミリ機１１５が公衆電話回線１４１に接続される。公衆電話網１４１から着呼があったときに、図３に示すスイッチ接続関係の代わりに図１１に示すスイッチ接続関係を用いてもよい。
【００５５】
図１２に示すように、スイッチＳＷ１において共通端子が第０接点端子に接続され、スイッチＳＷ２において共通端子が第１接点端子に接続され、スイッチＳＷ３において共通端子が第１接点端子に接続されているときには、ＲＪ１１（符号１２１）がＤＡＡ回路１３５及びＲＪ１１（符号１２３）に接続される。従って、ＶｏＩＰゲートウェイ１１３及び内線回線１４５が公衆電話回線１４１に接続される。モデム／ファクシミリ機１１５に音声の録音機能があれば、一般電話機１４９が通話を行っている最中に、その通話をモデム／ファクシミリ機１１５で録音することが可能となる。
【００５６】
図１３に示すように、スイッチＳＷ１において共通端子が第１接点端子に接続され、スイッチＳＷ２において共通端子が第１接点端子に接続され、スイッチＳＷ３において共通端子が第０接点端子に接続されているときには、ＲＪ１１（符号１２３）がＳＬＩＣ１３１及びＤＡＡ回路１３５に接続される。従って、ＶｏＩＰゲートウェイ１１３及びモデム／ファクシミリ機１１５が内線回線１４５に接続される。この場合には、ＶｏＩＰゲートウェイ１１３を介してＩＰフォン１４７と一般電話機１４９が通話をすることができる。また、内線回線１４５にモデム／ファクシミリ機１５１が接続されていれば、モデム／ファクシミリ機１５１とモデム／ファクシミリ機１１５が通信をすることが可能となる。このモデム／ファクシミリ機相互の接続の応用として、従って、例えば、モデム／ファクシミリ機１１５が受信したファクシミリをメモリ１０９−２に一時記憶し、印刷が必要なもののみ内線回線１４５に接続されているモデム／ファクシミリ機１５１でそのファクシミリを印刷することができる。また、コンピュータ本体１０９に記憶されているワードプロセッサ文書をモデム／ファクシミリ機１５１で印刷することが可能となり、コンピュータ本体１０９にプリンタが接続されていない場合に対応することができる。更に、内線回線１４５に接続されているモデム／ファクシミリ機が読み込んだ画像をコンピュータ本体１０９に蓄積することが可能となり、モデム／ファクシミリ機１５１をイメージスキャナとして用いることが可能となる。
【００５７】
なお、ＲＪ１１（符号１２３）とＤＡＡ回路１３５の接続は、図５に示すスイッチ接続関係においても実現されている。
【００５８】
次に、ＶｏＩＰゲートウェイ１１３とモデム／ファクシミリ機１１５の間の通信経路の切換制御について図９を参照して説明する。この切換制御はスイッチ制御部１１７により行われる。
【００５９】
まず、公衆電話回線１４１からＲＪ１１（符号１２１）に着信があるまで待ち続ける（ステップＳ２０１）。着信があったならば（ステップＳ２０１でＹＥＳ）、スイッチＳＷ１、ＳＷ２及びＳＷ３において共通端子を第０接点端子と接続することにより、ＶｏＩＰゲートウェイ１１３及びモデム／ファクシミリ機１１５を公衆電話回線と接続して、これらをオフフック状態にする（ステップＳ２０３）。
【００６０】
次に、ステップＳ２０３から所定時間が経過するまでの期間に、モデム通信開始の制御信号又はファクシミリ通信開始の制御信号を受信したか否かを判断する（ステップＳ２０５、Ｓ２０７及びＳ２０９）。ステップＳ２０３から所定時間が経過するまでの期間にモデム通信開始の制御信号を受信し（ステップＳ２０５でＹＥＳ）、又は、ファクシミリ通信開始の制御信号を受信したならば（ステップＳ２０７でＹＥＳ）、ステップＳ２２１に進み、そうでなければステップＳ２１１に進む。
【００６１】
ステップＳ２１１では、スイッチＳＷ１において共通端子を第１接点端子と接続することにより、モデム／ファクシミリ機１１５を公衆電話回線から切り離して、オンフック状態にする。次に、ＶｏＩＰ通話の最中に相手側のオンフックを検出したか否かを判断し（ステップＳ２１３）、更に、通話終了の制御信号を検出したか否かを判断する（ステップＳ２１５）。ＶｏＩＰ通話の最中に相手側のオンフックを検出し（ステップＳ２１３でＹＥＳ）、又は、通話終了の制御信号を検出したならば（ステップＳ２１５でＹＥＳ）、スイッチＳＷ２において共通端子を第１接点端子に接続することにより、ＶｏＩＰゲートウェイ１１３を公衆回線から切り離して、オンフック状態にする（ステップＳ２１７）。
【００６２】
ステップＳ２２１では、スイッチＳＷ２において共通端子を第１接点端子と接続することにより、ＶｏＩＰゲートウェイ１１３を公衆電話回線から切り離し、オンフック状態にする。次に、モデム通信又はファクシミリ通信の最中に通信終了の制御信号を検出したか否かを判断し（ステップＳ２２３）、そうであれば（ステップＳ２２３でＹＥＳ）、スイッチＳＷ１において共通端子を第１接点端子に接続することにより、モデム／ファクシミリ機１１５を公衆回線から切り離して、オンフック状態にする（ステップＳ２２５）。
【００６３】
【発明の効果】
以上説明したように、本発明によれば、以下の効果が奏される。
【００６４】
ＩＰフォン１４７は、他のＩＰフォンからＩＰフォン１４７宛にかけられてきた電話、一般電話からＩＰフォン１４７宛にかけられてきた電話、他のＩＰフォンから一般電話機１４９にかけられてきた電話及び一般電話から一般電話１４９に掛けられてきた電話の全てを受けることが可能となる。なお、ＩＰフォン１４７から電話をかけるときには、ＩＰネットワーク１４３、ハブ１０７、ルータ１０５、ｘＤＳＬモデム１０３及びスプリッタ１０１の経路が用いられる。
【００６５】
また、一般電話機１４９をローカルＩＰネットワーク又はグローバルＩＰネットワークに接続されているＩＰフォンと接続することができる。
【００６６】
更に、自局側で一般電話機１４９を用いて、相手側で一般電話機を用いた通話も可能となる。
【００６７】
更に、図９に示した方法によりモデム／ファクシミリ機及びＶｏＩＰゲートウェイの通信相手方との接続を制御しているので、ユーザは、接続を制御するために操作をする必要がなくなる。
【図面の簡単な説明】
【図１】本発明の実施形態による通信回線接続アダプタを含む通信システムを示すブロック図である。
【図２】通信回線接続アダプタのスイッチ位置がＳＷ１＝”１”、ＳＷ２＝”１”、ＳＷ３＝”１”となっているときの接続関係を示す図である。
【図３】通信回線接続アダプタのスイッチ位置がＳＷ１＝”０”、ＳＷ２＝”０”、ＳＷ３＝”０”となっているときの第１の接続関係を示す図である。
【図４】通信回線接続アダプタのスイッチ位置がＳＷ１＝”０”、ＳＷ２＝”１”、ＳＷ３＝”０”となっているときの第１の接続関係を示す図である。
【図５】通信回線接続アダプタのスイッチ位置がＳＷ１＝”１”、ＳＷ２＝”０”、ＳＷ３＝”０”となっているときの第１の接続関係を示す図である。
【図６】通信回線接続アダプタのスイッチ位置がＳＷ１＝”０”、ＳＷ２＝”０”、ＳＷ３＝”０”となっているときの第２の接続関係を示す図である。
【図７】通信回線接続アダプタのスイッチ位置がＳＷ１＝”０”、ＳＷ２＝”１”、ＳＷ３＝”０”となっているときの第２の接続関係を示す図である。
【図８】通信回線接続アダプタのスイッチ位置がＳＷ１＝”１”、ＳＷ２＝”０”、ＳＷ３＝”０”となっているときの第２の接続関係を示す図である。
【図９】通信回線接続アダプタのスイッチ位置がＳＷ１＝”１”、ＳＷ２＝”０”、ＳＷ３＝”１”となっているときの第１の接続関係を示す図である。
【図１０】通信回線接続アダプタのスイッチ位置がＳＷ１＝”１”、ＳＷ２＝”０”、ＳＷ３＝”１”となっているときの第２の接続関係を示す図である。
【図１１】通信回線接続アダプタのスイッチ位置がＳＷ１＝”０”、ＳＷ２＝”０”、ＳＷ３＝”１”となっているときの接続関係を示す図である。
【図１２】通信回線接続アダプタのスイッチ位置がＳＷ１＝”０”、ＳＷ２＝”１”、ＳＷ３＝”１”となっているときの接続関係を示す図である。
【図１３】通信回線接続アダプタのスイッチ位置がＳＷ１＝”１”、ＳＷ２＝”１”、ＳＷ３＝”０”となっているときの接続関係を示す図である。
【図１４】本発明の実施形態による公衆電話回線からの着呼があった場合のスイッチ制御方法を示すフローチャートである。
【符号の説明】
１０１  スプリッタ
１０３  ｘＤＳＬモデム
１０５  ルータ
１０７  ハブ
１０９  コンピュータ本体
１１１  スイッチ群
１１３  ＶｏＩＰゲートウェイ
１１５  モデム／ファクシミリ機
１１７  スイッチ制御部
１１９  通信回路接続アダプタ
１２１、１２３  ＲＪ１１端子
１２５、１２７  ＲＪ４５端子
１３１  ＳＬＩＣ
１３３、１３５  ＤＡＡ回路
１４１  公衆電話回線
１４３  ＩＰネットワーク
１４５  内線回線
１４３  ＩＰネットワーク
１４５  内線回線
１４７  ＩＰフォン
１４９  一般電話
１５１  モデム／ファクシミリ機
【図１】
2004180124.tif 000003
【図２】
2004180124.tif 000004
【図３】
2004180124.tif 000005
【図４】
2004180124.tif 000006
【図５】
2004180124.tif 000007
【図６】
2004180124.tif 000008
【図７】
2004180124.tif 000009
【図８】
2004180124.tif 000010
【図９】
2004180124.tif 000011
【図１０】
2004180124.tif 000012
【図１１】
2004180124.tif 000013
【図１２】
2004180124.tif 000014
【図１３】
2004180124.tif 000015
【図１４】
2004180124.tif 000016